(57)【要約】【課題】  地震の横揺れを無理なく逃して床パンのシールド部の損傷を防止し、また床パンの支持状態の安定化を図り、更には防振部材としての例えばゴム材のへたりを抑え、耐久性、耐震性が良くなるようにする。【解決手段】  キャスター１を下端に備えた支持脚２と、弾性質の防振部材３を下端に備えた免震支持脚４とで床パン５を支持する。上記の支持脚２に対応する建物の躯体床面７の位置に、上面が平滑状の支持板８を敷く。この支持板８を介してキャスター１を接地する。上記の防振部材３を、躯体床面７に固定する。【選択図】      図１
2008031760.tif 000002
【特許請求の範囲】
【請求項１】
キャスターを下端に備えた支持脚と、弾性質の防振部材を下端に備えた免震支持脚とで床パンが支持され、上記の支持脚に対応する建物の躯体床面の位置に、上面が平滑状の支持板が敷かれ、この支持板を介してキャスターが接地され、上記の防振部材が躯体床面に固定されていることを特徴とする床パンの防振支持構造。
【請求項２】
請求項１記載の床パンの防振支持構造であって、免震支持脚が、床パンの中央部に対応する位置に設けられていることを特徴とする床パンの防振支持構造。
【請求項３】
請求項１又は２記載の床パンの防振支持構造であって、免震支持脚が、隣り合う支持脚同士の中間位置に設けられていることを特徴とする床パンの防振支持構造。
【請求項４】
請求項１乃至３の何れかに記載の床パンの防振支持構造であって、支持脚がアジャスターボルトで形成され、免震支持脚が、下端に防振部材が固定された下脚と、この下脚に延長状に接続される上脚とで高さ調節自在に形成されていることを特徴とする床パンの防振支持構造。
【請求項５】
請求項４記載の床パンの防振支持構造であって、免震支持脚の下脚と上脚が、夫々筒形に形成されると共に、互いに挿し嵌められて固定されることにより、高さ調節自在に形成されていることを特徴とする床パンの防振支持構造。
【発明の詳細な説明】
【技術分野】
【０００１】
本発明は、床パンの防振支持構造に関し、更に詳しくは浴槽を載置したり、浴室の洗い場を形成する床パンの防振支持構造に関するものである。
【背景技術】
【０００２】
従来この種の構造としては、例えばゴムブロック等でなる防振部材を建物の躯体床面に固定し、この防振部材を介して床パンの支持脚を接地し、ゴム材の弾性を利用して床パンを支持しているものがある（例えば特許文献１、２参照）。
【０００３】
ところで浴室は、地震時に、横揺れを受けると、例えばひし形に変形する。この場合、浴室を構成する床パンは、その周辺が側壁の下部に連接され、隙間がシールドされている。従って床パンは、地震時に横揺れがあると、シールド部の防水性が損なわれ易くなるから、横揺れがあったときは建物に追従して建物と一緒に揺れ、横揺れを柔らかく逃すことができるよう形成されているのが望ましい。
しかるに従来のこの種の支持構造は、上記の通り、通常、建物の躯体床面に防振部材としてのゴム材を固定し、このゴム材の変形力、復元力を利用して横揺れを抑える構造であった。
従って従来のこの種の構造によると、地震時の横揺れで床パンと建物との振幅に差ができ、床パンの周辺のシールド部にひび割れ等の損傷を生じさせ易い、という問題点があった。
また従来のこの種の構造は、このように防振部材としてのゴム材を備えた支持脚だけで床パンを支持するのが通例であった。
従って従来のこの種の構造によると、横揺れでゴム材が床面から剥がれると、床パンの支持状態が不安定化し、また平常時に床パンに加わる荷重で、ゴム材がへたり易かったから、耐久性、耐震性が悪い、という問題点があった。
【特許文献１】実開平５−６４２６３号公報
【特許文献２】特開平７−３２４３６０号公報
【発明の開示】
【発明が解決しようとする課題】
【０００４】
本発明は、このような従来技術の問題点に鑑み、提案されたものである。
従って本発明の解決しようとする技術的課題は、地震の横揺れを無理なく逃して床パンのシールド部の損傷を防止し、また床パンの支持状態の安定化を図り、更には防振部材としての例えばゴム材のへたりを抑え、耐久性、耐震性を良くすることができるよう形成した床パンの防振支持構造を提供することにある。
【課題を解決するための手段】
【０００５】
本発明は、上記の課題を解決するため、次のような技術的手段を採る。
即ち本発明は、図１等に示されるように、キャスター１を下端に備えた支持脚２と、弾性質の防振部材３を下端に備えた免震支持脚４とで床パン５が支持され、上記の支持脚２に対応する建物の躯体床面７の位置に、上面が平滑状の支持板８が敷かれ、この支持板８を介してキャスター１が接地され、上記の防振部材３が躯体床面７に固定されていることを特徴とする（請求項１）。
【０００６】
本発明の場合、キャスター１は、３６０度どの方向にも自由に動くことができるよう、車輪が球形の、いわゆるボールキャスターで構成されているのが好ましい。支持板８は、例えば木材や金属材等で形成され、通常、躯体床面７に固定される。弾性質の防振部材３としては、ゴム材やコイルバネなどがある。本発明は、支持脚２及び免震支持脚４を、床パン５の底に直接取り付けて支持するのでも良いが、通常、床パン５は、支持脚２及び免震支持脚４を備えた架台６を介して支持される。
【０００７】
また本発明は、免震支持脚４が、図２に示されるように、床パン５の中央部に設けられているのが好ましい（請求項２）。
なぜならこれによると、防振部材３による横揺れ防止を、１箇所で、バランス良く、また効率的に、しかも低コストでできるからである。
【０００８】
また本発明は、図５に示されるように、免震支持脚４が、隣り合う支持脚２同士の中間位置に設けられているのでも良い（請求項３）。
なぜならこれによると、防振部材３による横揺れ防止と、キャスター１による追従動作を、バランス良く行わせることができ、その分、防振性能を高めることができるからである。
【０００９】
また本発明は、図１、図３等に示されるように、支持脚２がアジャスターボルトで形成され、免震支持脚４が、下端に防振部材３が固定された下脚４ａと、この下脚４ａに延長状に接続される上脚４ｂとで高さ調節自在に形成されているのが好ましい（請求項４）。
なぜならこれによると、浴室の施工現場に合わせて、床パン５の支持高さを変更でき、使い勝手が良くなるからである。
【００１０】
この場合、免震支持脚４は、例えば下脚４ａがボルト状に、上脚４ｂがこの下脚４ａが螺合される雌ネジ状に形成されて高さ調節自在に形成されたり、或いは、例えば図３に示されるように、免震支持脚４の下脚４ａと上脚４ｂが、夫々筒形に形成されると共に、互いに挿し嵌められて固定されることにより、高さ調節自在に形成されることで実現される（請求項５）。
請求項５に係る本発明の場合は、下脚４ａと上脚４ｂが、夫々筒形に形成されているから、支持が強固で安定する。またこの場合は、下脚４ａと上脚４ｂの挿入深度を調節することで、スムーズに免震支持脚４の高さを変更、調節できる。
【発明の効果】
【００１１】
本発明は、このようにキャスターを下端に備えた支持脚と、弾性質の防振部材を下端に備えた免震支持脚とで床パンが支持され、上記の支持脚に対応する建物の躯体床面の位置に、上面が平滑状の支持板が敷かれ、この支持板を介してキャスターが接地され、上記の防振部材が躯体床面に固定されているものである。
従って本発明の場合は、床パンを建物と一緒に横揺れさせることができるから、これによれば、地震時の横揺れを無理なく逃すことができ、床パンの周辺のシールド部が損傷することを防止できる。
また本発明は、キャスターを備えた支持脚と、防振部材を備えた免震支持脚とが協働して床パンを支持する構造である。
従ってこれによれば、地震時の横揺れで防振部材が躯体床面から剥がれても、支持脚によって床パンを安定した状態で支持できる。
また本発明は、支持脚により、防振部材としてのゴム材のへたりを、従来構造に比べて抑えることができるから、これによれば、その分、耐久性、耐震性が良くなる、という利点がある。
【発明を実施するための最良の形態】
【００１２】
以下、本発明を実施するための最良の形態を説明する。
本発明は、図１等に示されるように、キャスター１を下端に備えた支持脚２と、弾性質の防振部材３を下端に備えた免震支持脚４とで床パン５が支持されている。６は、床パン５が載せられる架台である。この架台６は、方形状の床パン５に合わせて平面視で方形に形成され、四隅の縦桟６ａと、この縦桟６ａの上下位置に、架台６の各辺を形作るよう横に架け渡されている上桟６ｂと下桟６ｃ、及びこの上桟６ｂと下桟６ｃの中間に縦向きに設けられている中桟６ｄ、更には前後位置の下桟６ｃの中央に、前後方向に延びるよう水平に架け渡されている下中央桟６ｅとで枠状に形成されている。
【００１３】
上記のキャスター１は、車輪が球形の、いわゆるボールキャスターで構成されている。キャスター１は、建物の躯体床面７に敷かれた支持板８を介して接地されている。支持板８は、例えば鉄板等で作られ、上面が平滑状に形成されている。また支持脚２は、この実施形態では架台６の四隅に設けられ、高さが調節自在になるよう、アジャスターボルトで形成されている。
【００１４】
上記の防振部材３は、ブロック状のゴム材で形成され、図３に示されるように、上下から金属板９で挟まれ、金属板９と一体化されている。そして下側の金属板９は、複数のビス１０で躯体床面７に止め付けられている。また防振部材３は、下側の金属板９が躯体床面７に接着されることにより、躯体床面７に堅固に固定されている。
【００１５】
また免震支持脚４は、図３、図４に示されるように、下端に防振部材３が固定された下脚４ａと、この下脚４ａに延長状に接続される上脚４ｂとで高さ調節自在に形成されている。具体的には下脚４ａと上脚４ｂが、この実施形態では夫々四角筒形に形成され、上脚４ｂが下脚４ａに嵌め挿され、挿入深度が調節された後、ネジ１１で固定されることにより、高さ調節が自在に形成されているものである。
【００１６】
また下脚４ａの下部４ａ１は、鉤形に屈曲され、上から見て４方向に広げられて、上側の金属板９に、螺子１２で固定される。また上脚４ｂの上部は、対向する一方の片４ｂ１が垂直状に立ち上げられ、他方の片４ｂ２は、９０度屈曲されて水平に広げられている。一方の片４ｂ１は、架台６の下中央桟６ｅの中央位置に、下方から外装状に嵌合される。このとき、他方の片４ｂ２は、下中央桟６ｅの下面に当接する。一方の片４ｂ１と他方の片４ｂ２は、止めネジ１３で下中央桟６ｅに止め付けられる。これにより免震支持脚４が、架台６に固定される。
【００１７】
而して免震支持脚４は、この実施形態では図１、図２に示されるように、床パン５の中央部に対応する架台６の位置に設けられている。本発明の場合、架台６は、筋交いなどで適宜補強されるので良い。
なお１４（図１参照）は、床パン５の排水ドレインである。この排水ドレイン１４には、蛇腹部１５ａを有する排水管１５が接続されている。
【００１８】
次に本発明の施工例を説明する。
先ず作業者は、各支持脚２に対応する躯体床面７の位置に、支持板８を敷いて固定する。次に作業者は、支持脚２の高さを調節すると共に、免震支持脚４の下脚４ａと上脚４ｂの挿入深度を調節してネジ１１で下脚４ａと上脚４ｂを固定し、免震支持脚４の高さを、支持脚２と同じ高さになるよう調節する。そして作業者は、防振部材３を、躯体床面７にビス１０で止め、更に接着剤で接着する。その後、作業者は、架台６に床パン５を載せ固定する。
【００１９】
本発明は、地震時に横揺れがあると、床パン５の四隅に配置されている支持脚２のキャスター１が支持板８の上面で転動し、床パン５を建物と一緒に横揺れさせる。また免震支持脚４の防振部材３は、その復元作用で横揺れを抑えるよう作用する。
【００２０】
以上の処において、本発明は、例えば図５に示されるように、免震支持脚４が、隣り合う支持脚２同士の中間位置に設けられているのでも良い。支持脚２は、この実施形態では、方形の架台６及び床パン５（仮想線で示す）に合わせて架台６の四隅に設けられ、免震支持脚４は架台６の各辺の真中に配置されている。この実施形態の場合は、上例と同様、支持脚２のキャスター１が、床パン５を建物と一緒に横揺れさせる。そしてこの場合は、免震支持脚４が床パン５の各辺の中央位置に配置されているから、床パン５に加わる前後左右の揺れを、免震支持脚４の防振部材３が、床パン５の４辺の位置でバランス良く、且つ迅速に抑えることができる。
なお本発明は、図６に示されるように、免震支持脚４が、隣り合う支持脚２同士の中間位置と共に、下中央桟６ｅの中央位置に、併せて設けられているのでも良い。この場合は、床パン５を、その４辺と共に、中央部においても、防振部材３の復元力によって揺れ止めできる。
【図面の簡単な説明】
【００２１】
【図１】本発明の支持構造の好適な一実施形態を示す正面図である。
【図２】支持脚と免震支持脚の位置を説明するための要部平面図である。
【図３】免震支持脚を示す要部斜視図である。
【図４】免震支持脚を示す要部分解斜視図である。
【図５】免震支持脚の他の配置例を示す要部平面図である。
【図６】免震支持脚の更に他の配置例を示す要部平面図である。
【符号の説明】
【００２２】
１      キャスター
２      支持脚
３      防振部材
４      免震支持脚
５      床パン
６      架台
７      躯体床面
８      支持板
【図１】
2008031760.tif 000003
【図２】
2008031760.tif 000004
【図３】
2008031760.tif 000005
【図４】
2008031760.tif 000006
【図５】
2008031760.tif 000007
【図６】
2008031760.tif 000008